(57)【要約】      （修正有）【課題】机や椅子等の取付対象物に簡単に取り付けて用いることができる保温具を提供する。【解決手段】保温具１０は、一方向に伸長して帯状に形成された幕部材１１と、この幕部材１１を取付対象物に取り付けるための取付部材１２とを備えている。幕部材１１は、シート状であり、布、紙、及び、合成樹脂のうちの少なくとも１つにより構成されている。取付部材１２は、幕部材１１の伸長方向に沿って片側端部に設けられており、接着テープ又は面状ファスナーにより構成されている。また、保温具１０は、伸長方向にロール状に巻かれており、取付対象物に応じて、任意に切断して用いることを可能とする。【選択図】図１
0003196565.tif 000002
【実用新案登録請求の範囲】
【請求項１】
布、紙、及び、合成樹脂のうちの少なくとも１つよりなり、一方向に伸長して帯状に形成された幕部材と、
この幕部材の伸長方向に沿って片側端部に設けられ、接着テープ又は面状ファスナーよりなる取付部材と
を備えたことを特徴とする保温具。
【請求項２】
前記幕部材は、前記取付部材が設けられた状態で、伸長方向にロール状に巻かれていることを特徴とする請求項１記載の保温具。
【請求項３】
前記幕部材及び前記取付部材は、取付対象物に応じて、任意に切断して用いることが可能とされたことを特徴とする請求項１又は請求項２記載の保温具。
【考案の詳細な説明】
【技術分野】
【０００１】
本考案は、机や椅子等の取付対象物に簡単に取り付けることができる保温具に関する。
【背景技術】
【０００２】
近年、椅子に座って使用する机が広く用いられているが、冬場は床付近に冷気が滞留して足元が寒くなってしまう。そこで、机をこたつ布団などで覆い、机の下に温風暖房器等から温風を引き込んで足元を温めることが提案されている（例えば、特許文献１参照）。しかしながら、従来のこたつ布団では、例えば、こたつに入る時にこたつ布団の側面全体を持ち上げていたので、椅子を使用する場合には、こたつ布団が大きく持ち上げられてしまい、足元から冷気が入り込んで寒いという問題があった。また、机の大きさは様々であるため、既存の机に合う大きさのこたつ布団を用意することが難しいという問題もあった。更に、こたつ布団は机の上から机全体を覆うようにかけるので、こたつ布団の上に載せる天板が必要であるという問題もあった。なお、これらの問題は、机の上面の裏側にヒータ等の加熱装置を取り付けられたこたつについても同様であった。
【先行技術文献】
【特許文献】
【０００３】
【特許文献１】実登３０６３５７２号公報
【考案の概要】
【考案が解決しようとする課題】
【０００４】
本考案は、このような問題に基づきなされたものであり、机や椅子等の取付対象物に簡単に取り付けて用いることができる保温具を提供することを目的とする。
【課題を解決するための手段】
【０００５】
本考案の保温具は、布、紙、及び、合成樹脂のうちの少なくとも１つよりなり、一方向に伸長して帯状に形成された幕部材と、この幕部材の伸長方向に沿って片側端部に設けられ、接着テープ又は面状ファスナーよりなる取付部材とを備えたものである。
【考案の効果】
【０００６】
本考案によれば、幕部材と、幕部材の片側端部に設けた取付部材とを備えるようにしたので、机や椅子等の取付対象物に取付部材を付けるだけで、簡単に取り付けて用いることができる。また、取付対象物に合わせて幕部材を切断すれば、取付対象物の大きさや形状に関係なく、どのようなものに対しても簡単に取り付けることができる。更に、例えば、机に取り付ける場合には、幕部材を切断して脚を挿入するための開口や切込みを形成するようにすれば、幕部材が大きく捲り上げられて、足元から冷気が入り込むことを抑制することができ、保温性を高めることができる。
【０００７】
また、幕部材に取付部材を設けた状態で伸長方向にロール状に巻くようにすれば、取付対象物に応じて必要な分を広げて切断することにより、容易に用いることができる。
【図面の簡単な説明】
【０００８】
【図１】本考案の一実施の形態に係る保温具の構成を表す図である。
【図２】図１に示した保温具を机に取り付けた状態を表す図である。
【図３】図１に示した保温具を机に取り付けた状態を表す他の図である。
【図４】図１に示した保温具を椅子に取り付けた状態を表す図である。
【図５】図１に示した保温具を他の机に取り付けた状態を表す図である。
【考案を実施するための形態】
【０００９】
以下、本考案の実施の形態について、図面を参照して詳細に説明する。
【００１０】
図１は、本考案の一の実施の形態に係る保温具１０の構成を表すものである。この保温具１０は、例えば、机や椅子等の取付対象物に取り付けて用いるものである。この保温具１０は、例えば、一方向に伸長して帯状に形成された幕部材１１と、この幕部材１１を取付対象物に取り付けるための取付部材１２とを備えている。
【００１１】
幕部材１１は、例えば、シート状であり、布、紙、及び、合成樹脂のうちの少なくとも１つにより構成されている。幕部材１１は、例えば、布や、紙や、ビニールなどの合成樹脂のシートにより構成されてもよく、これらの表面に加工がされているものでもよく、また、これらを混合したり、積層したシートにより構成されてもよい。幕部材１１の幅は、特に限定されるものではないが、例えば、５０ｃｍから８０ｃｍ程度が好ましい。
【００１２】
取付部材１２は、例えば、幕部材１１の伸長方向に沿って片側端部に設けられており、接着テープ又は面状ファスナーにより構成されている。取付部材１２は、幕部材１１の伸長方向に沿って連続して設けられていてもよく、また、間欠的に設けられていてもよい。また、取付部材１２は、例えば、布、紙、及び、合成樹脂のうちの少なくとも１つにより構成されており、幕部材１１に対して接着剤や縫い付けにより取り付けられている。取付部材１２の幅は、例えば、特に限定されるものではないが、例えば、１ｃｍから３ｃｍ程度が好ましい。
【００１３】
幕部材１１及び取付部材１２は、例えば、使用者が自由に切断することが可能であり、取付対象物に応じて、任意に切断して用いることができるようになっている。取付対象物の大きさや形状に合わせて切断することにより、どのようなものに対しても取り付けることができるからである。また、例えば、机に取り付ける場合に、幕部材１１を切断して脚を挿入するための開口や切込みを形成するなど、使用者の希望に応じて変形することができるからである。
【００１４】
また、この保温具１０は、例えば、幕部材１１に取付部材１２が設けられた状態で、伸長方向にロール状に巻かれていることが好ましい。これにより、取付対象物に応じて必要な分を広げ、切断して用いることができるようになっている。
【００１５】
この保温具１０は、例えば、次のようにして用いることができる。図２から図４は、保温具１０を取り付けた状態を表したものである。なお、図２から図４においては、わかりやすくするために、保温具１０に梨地を付して示している。
【００１６】
例えば、図２に示したように、保温具１０により机２１の側部を覆う場合には、まず、覆う部分の長さに応じて、ロール状に巻かれている保温具１０を広げて切断する。次いで、例えば、覆う部分の長さが保温具１０の幅よりも短い場合には、幕部材１１の幅を切断して短くしてもよい。なお、長いまま使用し、裾を床に弛ませるようにしてもよい。続いて、例えば、取付部材１２を机２１の側部上側に付けることにより保温具１０を取り付け、机２１の側部を覆う。その際、必要に応じて、幕部材１１を切断し、使用者が脚を挿入するための開口１３や切込み１４を形成してもよい。
【００１７】
また、例えば、図３（Ａ）に示したように、保温具１０を机２１の側部に巻きつけて覆う際に、保温具１０の長さ方向において切断した両端部１５を重ね合わせるようにしてもよい。更に、例えば、図３（Ｂ）に示したように、覆う部分の長さが保温具１０の幅よりも長い場合には、１つの保温具１０の幅方向における下側端部に、他の保温具１０の取付部材１２を付けることにより、幅方向に複数の保温具１０を複数つなげて用いるようにしてもよい。
【００１８】
また、例えば、図４（Ａ）に示したように、椅子２２の座面の下側を囲むように覆ってもよく、図４（Ｂ）に示したように、椅子２２の座面から下側に垂らすように覆ってもよい。例えば、図２に示したように、保温具１０で机２１の側部を覆い、図４に示したように、椅子２２の座面の下側を保温具１０で覆い、組み合わせて用いるようにすれば、足元から冷気が入り込むのをより抑制することができる。更に、例えば、図５に示したように、側面が覆われている机２３の足元を覆うようにしてもよい。
【００１９】
このように本実施の形態によれば、幕部材１１と、幕部材１１の片側端部に設けた取付部材１２とを備えるようにしたので、机や椅子等の取付対象物に取付部材１２を付けるだけで、簡単に取り付けて用いることができる。また、取付対象物に合わせて幕部材１１を切断すれば、取付対象物の大きさや形状に関係なく、どのようなものに対しても簡単に取り付けることができる。更に、例えば、机に取り付ける場合には、幕部材１１を切断して脚を挿入するための開口や切込みを形成するようにすれば、幕部材が大きく捲り上げられて、足元から冷気が入り込むことを抑制することができ、保温性を高めることができる。
【００２０】
また、幕部材１１に取付部材１２を設けた状態で伸長方向にロール状に巻くようにすれば、取付対象物に応じて必要な分を広げて切断することにより、容易に用いることができる。
【００２１】
以上、実施の形態を挙げて本考案を説明したが、本考案は上記実施の形態及び実施例に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２２】
１０…保温具、１１…幕部材、１２…取付部材、１３…開口、１４…切り込み、１５…両端部、２１，２３…机、２２…椅子
【図１】
0003196565.tif 000003
【図２】
0003196565.tif 000004
【図３】
0003196565.tif 000005
【図４】
0003196565.tif 000006
【図５】
0003196565.tif 000007